(57)【要約】【課題】通電制御に伴う消費電力を削減することができるデジタル放送受信機を提供する。【解決手段】番組を視聴中などの電源オン中に個別情報の受信を行う機会が増えるように、通電制御により個別情報を受信する日時が通電制御期間内の後の方になるように算出して、タイマー１１９に予約する。予約した日時までに個別情報の受信が完了しなかった場合、タイマー１１９より通知されたサブＣＰＵ１１８は、電源回路１２０よりメイン電源を投入し、メインＣＰＵ１１２に通電制御予約の開始を通知する。メインＣＰＵ１１２はメモリ１１３の不揮発領域に記憶されている通電制御予約情報に従って第２チューナ経路１２２を電源保持時間だけ受信ＴＳ（トランスポートストリーム）に合わせて、第２ＤＥＭＵＸ回路１０９から分離した個別情報をＩＣカード１１５に書き込むことにより個別情報の受信を行う。【選択図】  図１
2005033304.tif 000002
【特許請求の範囲】
【請求項１】
有料放送事業体が送信する個別情報を受信するチューナを備えるデジタル放送受信機において、
通電制御による個別情報の受信を、任意の有料放送事業体が当該受信機宛の個別情報を送信している通電制御期間の一部を選択して行うことを特徴とするデジタル放送受信機。
【請求項２】
通電制御によって個別情報の受信を開始する日時が、任意の有料放送事業体が当該受信機宛の個別情報を送信している通電制御期間の開始日時より、少なくとも個別情報の受信に要する電源保持時間だけ後ろの日時であることを特徴とする請求項１に記載のデジタル放送受信機。
【請求項３】
前記通電制御期間と前記電源保持時間とに基づいて、個別情報を受信する日時を算出してタイマー予約する通電制御予約を行い、視聴中に該有料放送事業体の個別情報の受信が完了した場合を除いては、通電制御予約によって個別情報の受信を行うことを特徴とする請求項１または２に記載のデジタル放送受信機。
【請求項４】
前記通電制御予約では、チューナを使用するイベントの予約によってチューナが使用できなくなる時間帯を除いて、個別情報の受信予約をスケジューリングすることを特徴とする請求項１ないし３のいずれかに記載のデジタル放送受信機。
【請求項５】
前記通電制御予約では、前記通電制御期間内に少なくとも一度は個別情報の受信予約を再設定できるだけの時間を後ろに確保してスケジューリングし、個別情報の受信に失敗したら受信予約を再設定することを特徴とする請求項１ないし４のいずれかに記載のデジタル放送受信機。
【請求項６】
前記通電制御予約による個別情報の受信を開始すると、受信が完了するまで使用中のチューナを占有することを特徴とする請求項１ないし５のいずれかに記載のデジタル放送受信機。
【請求項７】
前記通電制御予約による受信予約の再設定ができない最終の個別情報の受信を開始すると、受信が完了するまで使用中のチューナを占有することを特徴とする請求項５に記載のデジタル放送受信機。
【請求項８】
複数のチューナを有し、前記通電制御予約による個別情報の受信には視聴に供する１つのチューナを除いた残りのチューナを用いることを特徴とする請求項１ないし７のいずれかに記載のデジタル放送受信機。
【請求項９】
通電制御によって個別情報を受信する場合に、前記通電制御予約を用いるか、用いないか、を選択可能なことを特徴とする請求項１ないし８のいずれかに記載のデジタル放送受信機。
【請求項１０】
視聴を終了するための電源オフ指示に応答して、前期電源保持時間だけ電源を保持する通電制御による個別情報の受信を、前期通電制御期間の代わりに少なくとも開始日時を遅らせて短縮した変形通電制御期間内に行うことを特徴とする請求項１または２に記載のデジタル放送受信機。
【請求項１１】
前記変形通電制御期間は、チューナの数に反比例して前記通電制御期間を短縮して算出されることを特徴とする請求項１０に記載のデジタル放送受信機。
【請求項１２】
複数のチューナを有し、前記変形通電制御期間と前記電源保持時間とに基づく通電制御によって、複数のチューナを用いて同時に異なる有料放送事業体の個別情報の受信を行うことを特徴とする請求項１０または１１に記載のデジタル放送受信機。
【請求項１３】
視聴を終了するための電源オフ指示に応答して、前期電源保持時間だけ電源を保持する通電制御による個別情報の受信を行う場合に、前記変形通電制御期間と前記電源保持時間とに基づく通電制御を行うか、または、前記変形しない通電制御期間と前記電源保持時間とに基づく通電制御を行うか、を選択可能なことを特徴とする請求項１０ないし１２のいずれかに記載のデジタル放送受信機。
【請求項１４】
複数のチューナを有し、視聴中は現在日時と前記通電制御期間との比較を定期的に行い、前期通電制御期間内で個別情報の受信が完了していない有料放送事業体が存在し、チューナが確保できる場合に、該有料放送事業体の個別情報の受信を行うことを特徴とする請求項１ないし１３のいずれかに記載のデジタル放送受信機。
【発明の詳細な説明】
【０００１】
【発明の属する技術分野】
本発明は、有料放送事業体が送信する個別情報を受信するチューナを備えるデジタル放送受信機に関するものである。
【０００２】
【従来の技術】
近年、ＢＳデジタル放送のサービスが開始されており、有料放送のサービスも行われている。一般に有料放送では、契約者（ユーザー）以外が視聴できないように放送信号にスクランブルを施して送信し、契約者（ユーザー）はスクランブルを解除する「鍵」を使用することにより、有料放送を視聴することができる。その「鍵」の一種として、Ｂ−ＣＡＳカードと呼ばれるＩＣカードがあり、このＩＣカードをデジタル放送受信機に挿入しておくことで、契約者にのみ、有料放送に施されているスクランブルを解除して正常に視聴できるようになっている。
【０００３】
各有料放送事業体は自局の放送番組に多重して、ユーザーの契約情報やスクランブルを解除するための鍵データから成るＥＭＭ（Ｅｎｔｉｔｌｅｍｅｎｔ  Ｍａｎａｇｅｍｅｎｔ  Ｍｅｓｓａｇｅ）と呼ばれるユーザー別の個別情報を送信している。デジタル放送受信機ではＩＣカードに記録されているカード番号を読み出し、カード番号に該当するユーザーのＥＭＭを取り出し、ＩＣカードに書き込むことにより契約内容を更新することが行われる。
【０００４】
ＩＣカードによる契約には期限があり、各有料放送事業体は契約の継続を希望したユーザーに対して契約内容を更新してもらうように、契約が満了する数日から数週間前より契約更新のためのＥＭＭを自局の放送番組に多重して送出する。
【０００５】
ＥＭＭを受信するには、その有料放送事業体の番組を視聴することが必要である。それにより、番組を視聴している間に契約更新のためのＥＭＭを受信して、ＩＣカードへの書き込みが行われ、契約更新が自然に済んでしまうことがある。
【０００６】
ところが、ユーザーがほとんど視聴を行うことがない場合や、視聴している時間が契約更新を行うのに必要な時間に満たない場合に、この方法では契約更新を行うことはできない。このような問題に対して、デジタル放送受信機では通電制御と呼ばれる機能が備えられている。
【０００７】
すなわち、ユーザーが番組の視聴を終了するために、リモコンまたはデジタル放送受信機本体の電源ボタンにより電源オフ操作を行うと、ＥＭＭ受信とＩＣカードの読み書きに最低限必要なハードウェアの電源を保持しておく。次に、ＩＣカードに記録されている通電制御情報をもとに契約更新のためのＥＭＭを受信して、ＩＣカードへ書き込むことにより、契約している有料放送事業体の契約更新を漏れなく行うものである。
【０００８】
表１にＩＣカードから読み出した通電制御情報の例を示す。ユーザーは３つの有料放送事業体と契約している。有料放送事業体が契約者（ユーザー）に向けて、ＥＭＭのような個別情報を送出している期間のことを通電制御期間と呼ぶ。また、個別情報の受信に要する時間として有料放送事業体ごとに指定された時間を電源保持時間と呼ぶ。通電制御期間の開始は開始日の０：００、終了は終了日の２４：００とする。各有料放送事業体では通電制御期間内にこのＩＣカードを所有しているユーザーの契約更新のためのＥＭＭを送出する。例えば、表１の▲１▼は、有料放送事業体１００の通電制御期間が１月１０日の０：００から１月２４日の２４：００までであり、電源保持時間は２時間を必要とすることを表している。
【０００９】
デジタル放送受信機では、ユーザーによって番組の視聴を終了するために電源オフの操作が行われると、現在の日時と有料放送事業体の通電制御期間を比較して、現在の日時が通電制御期間に含まれていれば電源保持時間だけチューナを受信ＴＳ（トランスポートストリーム）に合わせて、その間に受信したＥＭＭをＩＣカードに書き込むことにより契約更新を行う。この処理を３つの有料放送事業体全てに対して行ったあとに、電源の状態をスタンバイモードにする。スタンバイモードとは番組の視聴に必要な電源だけでなく、前記通電制御に必要な電源も供給を停止している状態のことである。
【００１０】
なお、より広い意味での通電制御とは、スタンバイモードなどの視聴を行っていない電源オフ時であるにもかかわらず、個別情報の受信の為に最低限必要なハードウェアの電源を保持し、通電制御情報に従って各有料放送事業体の個別情報を受信する処理と定義できる。
【００１１】
ＩＣカードに記録されている各有料放送事業体の通電制御情報は、契約更新が完了すれば次回のものに随時更新される。例えば、表１の▲１▼のみ完了した時点で記録されている通電制御情報は表２のように更新される。有料放送事業体１００について契約更新が完了し、次回の通電制御期間は７月１０日から７月２４日までであることが記録されている。
【００１２】
【表１】
2005033304.tif 000003
【００１３】
【表２】
2005033304.tif 000004
【００１４】
また、デジタル放送受信機に備えられているチューナが１個のみであれば、番組の視聴または通電制御のいずれかにチューナが占有される。通電制御中に番組の視聴を行うために電源がオンされた場合には、通電制御による個別情報の受信を中断せざるを得ず、次回の電源オフ時に再開することになる。
【００１５】
一方、特許文献１では複数のチューナを有するデジタル放送受信機において、通電制御を効率的に短時間で行う方法が開示されている。これは、番組を視聴している時にも空いているチューナを用いて通電制御期間内の有料放送事業体の個別情報を受信しようというものである。さらに、番組視聴中や電源オフ時に関係なく、通電制御期間内で個別情報の受信が可能である有料放送事業体が複数ある場合には、空いている複数のチューナを用いて同時に実行しようというものである。
【００１６】
【特許文献１】
特開２００２−３２５２４０号公報（公開日：平成１４年１１月８日）
【００１７】
【発明が解決しようとする課題】
しかしながら、従来の技術によると、ユーザーが番組の視聴を終了したために電源オフになった時点で、通電制御期間内にあって個別情報の受信が未処理であれば、将来、電源オンになってから実行できる可能性のあるものまで無条件に通電制御を行い個別情報の受信処理を行っている。そのために余分に電力を消費してしまうという問題が生ずる。
【００１８】
本発明は上記問題点を解決するためになされたもので、その目的は通電制御に伴う電力消費を削減することができるデジタル放送受信機を提供することにある。
【００１９】
【課題を解決するための手段】
本発明に係るデジタル放送受信機は、上記の課題を解決するために、通電制御による個別情報の受信を、任意の有料放送事業体が当該受信機宛の個別情報を送信している通電制御期間の一部を選択して行うことを特徴としている。
【００２０】
上記の構成により、番組を視聴していない間などの電源オフ中に、必要な電源を保持する通電制御による個別情報の受信を、個別情報が送信されている通電制御期間の一部を選択して行う。
【００２１】
それにより、番組を視聴している間（電源オン中）に個別情報を受信できる機会が増える。電源オン中に個別情報の受信が完了すると、番組を視聴していない電源オフ中にもかかわらず、通電制御の為に電源を保持する機会が通電制御期間の一部に限られるので、消費電力の削減が可能である。
【００２２】
また、本発明に係るデジタル放送受信機は、上記の課題を解決するために、通電制御によって個別情報の受信を開始する日時が、任意の有料放送事業体が当該受信機宛の個別情報を送信している通電制御期間の開始日時より、少なくとも個別情報の受信に要する電源保持時間だけ後ろの日時であることを特徴としている。
【００２３】
上記の構成により、番組を視聴していない間などの電源オフ中に、必要な電源を保持する通電制御による個別情報の受信を、個別情報が送信されている通電制御期間の開始日時より、少なくとも個別情報の受信に要する電源保持時間だけ遅く開始する。
【００２４】
それにより、番組を視聴している間（電源オン中）に個別情報を受信できる機会が増える。電源オン中に個別情報の受信が完了すると、番組を視聴していない電源オフ中にもかかわらず、通電制御の為に電源を保持する機会が減るので、消費電力の削減が可能である。
【００２５】
また、本発明に係るデジタル放送受信機は、上記の課題を解決するために、前記通電制御期間と前記電源保持時間とに基づいて、個別情報を受信する日時を算出してタイマー予約する通電制御予約を行い、視聴中に該有料放送事業体の個別情報の受信が完了した場合を除いては、通電制御予約によって個別情報の受信を行うことを特徴としている。
【００２６】
上記の構成により、通電制御により個別情報を受信する日時を、与えられた通電制御期間と電源保持時間に基づいて算出して予約し、番組を視聴している間（電源オン中）に個別情報の受信が行えなかった有料放送事業体については、予約した日時に通電制御を行い個別情報の受信を行う。
【００２７】
それにより、電源オフ中に行う通電制御を予約した日時だけに行わせることができ、通電制御の為に電源を保持する機会が減るので、消費電力の削減が可能である。
【００２８】
また、本発明に係るデジタル放送受信機は、上記の課題を解決するために、前記通電制御予約では、チューナを使用するイベントの予約によってチューナが使用できなくなる時間帯を除いて、個別情報の受信予約をスケジューリングすることを特徴としている。
【００２９】
上記の構成により、通電制御予約による個別情報の受信予約を、例えば番組予約など他にチューナを使用するイベントが設定されていれば、それを避けてスケジューリングする。
【００３０】
それにより、通電制御予約によってより確実に個別情報の受信を行うことが可能である。
【００３１】
また、本発明に係るデジタル放送受信機は、上記の課題を解決するために、前記通電制御予約では、前記通電制御期間内に少なくとも一度は個別情報の受信予約を再設定できるだけの時間を後ろに確保してスケジューリングし、個別情報の受信に失敗したら受信予約を再設定することを特徴としている。
【００３２】
上記の構成により、他にチューナを使用するイベントが発生した為に個別情報の受信が失敗した場合でも、再び通電制御によって個別情報の受信が行えるように受信予約のスケジューリングを行う。
【００３３】
それにより、通電制御予約によってより確実に個別情報の受信を行うことが可能である。
【００３４】
また、本発明に係るデジタル放送受信機は、上記の課題を解決するために、前記通電制御予約による個別情報の受信を開始すると、受信が完了するまで使用中のチューナを占有することを特徴としている。
【００３５】
上記の構成により、他にチューナを使用するイベントが発生しても個別情報の受信を中断してチューナを他のイベントに占有させずに、一旦、個別情報の受信を開始すると受信処理が完了するまでチューナを占有する。
【００３６】
それにより、個別情報の受信が完了するまでチューナを占有すれば個別情報の受信に失敗することがなくなる。個別情報の受信が失敗した為に、再度通電制御による個別情報の受信を行う必要が無くなるので、消費電力の削減が可能である。
【００３７】
また、本発明に係るデジタル放送受信機は、上記の課題を解決するために、前記通電制御予約による受信予約の再設定ができない最終の個別情報の受信を開始すると、受信が完了するまで使用中のチューナを占有することを特徴としている。
【００３８】
上記の構成により、通電制御期間の終了が近いなどの理由のために受信予約の再設定用の時間を確保しなかった個別情報の受信中に、例えば他にチューナを使用するイベントが発生しても、個別情報の受信を中断してチューナを他のイベントに占有させずに、受信処理が完了するまでチューナを占有する。
【００３９】
それにより、通電制御予約によってより確実に個別情報の受信を行うことが可能である。
【００４０】
また、本発明に係るデジタル放送受信機は、上記の課題を解決するために、複数のチューナを有し、前記通電制御予約による個別情報の受信には視聴に供する１つのチューナを除いた残りのチューナを用いることを特徴としている。
【００４１】
上記の構成により、通電制御予約による個別情報の受信中に、別の有料放送事業体の番組視聴を行う為に個別情報の受信を中断する必要がない。
【００４２】
それにより、通電制御予約によってより確実に個別情報の受信を行うことが可能である。
【００４３】
また、本発明に係るデジタル放送受信機は、上記の課題を解決するために、通電制御によって個別情報を受信する場合に、前記通電制御予約を用いるか、用いないか、を選択可能なことを特徴としている。
【００４４】
上記の構成により、ユーザーは通電制御による個別情報の受信を、前記通電制御予約によって通電制御期間の一部を選択して行うか、電源オフになると直ちに行うか、を選択することができる。
【００４５】
それにより、ユーザーの嗜好に応じて通電制御の方法を選択することができる。
【００４６】
また、本発明に係るデジタル放送受信機は、上記の課題を解決するために、視聴を終了するための電源オフ指示に応答して、前期電源保持時間だけ電源を保持する通電制御による個別情報の受信を、前期通電制御期間の代わりに少なくとも開始日時を遅らせて短縮した変形通電制御期間内に行うことを特徴としている。
【００４７】
上記の構成により、番組を視聴している間（電源オン中）に個別情報を受信できる機会が更に増える。その為に番組を視聴していない間などの電源オフ中に、通電制御によって行われる個別情報の受信を開始する日時を更に遅らせることができる。
【００４８】
それにより、番組を視聴している間（電源オン中）に個別情報の受信が完了すると、番組を視聴していない電源オフ中にもかかわらず、通電制御の為に電源を保持する機会が減るので、消費電力の削減が可能である。
【００４９】
また、本発明に係るデジタル放送受信機は、上記の課題を解決するために、前記変形通電制御期間は、チューナの数に反比例して前記通電制御期間を短縮して算出されることを特徴としている。
【００５０】
上記の構成により、複数のチューナを有していると、同時に異なる有料放送事業体の個別情報を受信することができるので、チューナが１つの場合と比較して個別情報の受信を行っている時間を短くすることができる。従って、変形通電制御期間は、デジタル放送受信機が有するチューナの数が多いほど、元の通電制御期間を短縮するようにして算出される。
【００５１】
それにより、チューナの数だけ同時に、番組を視聴している間（電源オン中）に個別情報を受信できる機会が増え、番組を視聴していない電源オフ中にもかかわらず、通電制御の為に電源を保持する機会が減るので、消費電力の削減が可能である。
【００５２】
また、本発明に係るデジタル放送受信機は、上記の課題を解決するために、複数のチューナを有し、前記変形通電制御期間と前記電源保持時間とに基づく通電制御によって、複数のチューナを用いて同時に異なる有料放送事業体の個別情報の受信を行うことを特徴としている。
【００５３】
上記の構成により、元の通電制御期間から短縮された変形通電制御期間内に複数のチューナを用いて同時に個別情報の受信を行う。
【００５４】
それにより、通電制御による個別情報の受信が複数の有料放送事業体について同時に並行して行われ、通電制御の為に電源を保持する時間が短縮できるので、消費電力の削減が可能である。
【００５５】
また、本発明に係るデジタル放送受信機は、上記の課題を解決するために、視聴を終了するための電源オフ指示に応答して、前期電源保持時間だけ電源を保持する通電制御による個別情報の受信を行う場合に、前記変形通電制御期間と前記電源保持時間とに基づく通電制御を行うか、または、前記変形しない通電制御期間と前記電源保持時間とに基づく通電制御を行うか、を選択可能なことを特徴としている。
【００５６】
上記の構成により、ユーザーは視聴を終了するために電源オフ操作を行った後も電源を保持して行う通電制御による個別情報の受信を、前記変形通電制御期間内において通電制御期間のできるだけ後の方に行うか、または、有料放送事業体より与えられた、変形しない通電制御期間内において電源オフになると直ちに行うか、を選択することができる。
【００５７】
それにより、ユーザーの嗜好に応じて通電制御の方法を選択することができる。
【００５８】
また、本発明に係るデジタル放送受信機は、上記の課題を解決するために、複数のチューナを有し、視聴中は現在日時と前記通電制御期間との比較を定期的に行い、前期通電制御期間内で個別情報の受信が完了していない有料放送事業体が存在し、チューナが確保できる場合に、該有料放送事業体の個別情報の受信を行うことを特徴としている。
【００５９】
上記の構成により、番組を視聴していない間などの電源オフ中に、通電制御の為に電源を保持して個別情報の受信を行う必要がない。番組を視聴している間（電源オン中）に、個別情報の受信が完了していない有料放送事業体が存在し、現在日時がその有料放送事業体の個別情報を送信している通電制御期間内であって、チューナが確保できると、直ちに個別情報の受信を行う。
【００６０】
それにより、番組を視聴している間（電源オン中）に個別情報を受信できる機会が増え、番組を視聴していない電源オフ中にもかかわらず、通電制御の為に電源を保持する機会が減るので、消費電力の削減が可能である。
【００６１】
【発明の実施の形態】
〔第１の実施の形態〕
本発明のデジタル放送受信機における実施の一形態について、図１ないし図５に基づいて説明すれば、以下の通りである。
【００６２】
図１は裏番組の録画や２画面表示に対応して２つのチューナを備えたデジタル放送受信機の代表的な構成を示すブロック図である。
【００６３】
デジタル放送受信機１００は、デジタル放送受信回路１１６およびその他（リモコン受光器１１７、サブＣＰＵ１１８、タイマー１１９、電源回路１２０）から成る。さらにデジタル放送受信回路１１６は、第１チューナ経路１２１、第２チューナ経路１２２、ＡＶ出力回路１１１、メインＣＰＵ１１２、メモリ１１３、モデム１１４、ＩＣカード１１５、を備えている。
【００６４】
さらに、第１チューナ経路１２１は、第１チューナ１０３、第１デスクランブラー１０４、第１ＤＥＭＵＸ回路１０５、第１ＭＰＥＧ＿ＡＶデコーダ１０６、を備えている。また、第２チューナ経路１２２も第１チューナ経路１２１と同様に、第２チューナ１０７、第２デスクランブラー１０８、第２ＤＥＭＵＸ回路１０９、第２ＭＰＥＧ＿ＡＶデコーダ１１０、を備えている。
【００６５】
メインＣＰＵ１１２はデジタル放送受信機１００の動作全般を制御し、メモリ１１３はそのためのプログラムや制御データを記憶するものである。アンテナ１０１で受信した信号は所定の周波数に変換されてデジタル放送受信機１００に入力される。第１チューナ１０３では、ユーザーの選局した周波数に同調させた後、８ＰＳＫなどのデジタル復調や誤り訂正処理を行って、ＭＰＥＧ２トランスポートストリームを出力する。
【００６６】
第１デスクランブラー１０４では、放送事業者によってＭＰＥＧ２トランスポートストリームに暗号化が施されている場合、ＩＣカード１１５から読み出されたデスクランブル鍵情報を用いて暗号解除して出力する。
【００６７】
第１ＤＥＭＵＸ回路１０５では、ＭＰＥＧ２トランスポートストリームに多重されている各種データを分離し、第１ＭＰＥＧ＿ＡＶデコーダ１０６では第１ＤＥＭＵＸ回路１０５で分離されたＭＰＥＧ映像・音声データを復号する。
【００６８】
第２チューナ１０７から第２デスクランブラー１０８、第２ＤＥＭＵＸ回路１０９、第２ＭＰＥＧ＿ＡＶデコーダ１１０に至る第２チューナ経路１２２も同様な動作を行う。
【００６９】
ＡＶ出力回路１１１では通常の番組視聴時には第１チューナ経路１２１を用いて復号した映像・音声データをテレビ信号に変換して出力する（ＡＶ出力信号１）。ユーザーから裏番組録画の指示があった場合には、第２チューナ経路１２２を該当するチャンネルに合わせて裏番組録画用のテレビ信号として出力する（ＡＶ出力信号２）。２画面表示指示があった場合には、２画面表示用に両者の映像データを合成したテレビ信号をＡＶ出力信号１に出力する。
【００７０】
モデム１１４はセンターとの通信に用いられる。センターは番組情報の提供や参加型番組等でユーザーから送信されたデータを受信する。
【００７１】
ユーザーがリモコン１０２の電源ボタンを押すと、リモコン受光器１１７で受光してサブＣＰＵ１１８に伝えられる。サブＣＰＵ１１８ではリモコン信号を解析し、電源オンの場合には電源回路１２０のメイン電源を投入してデジタル放送受信回路１１６に電源を供給する。逆に電源オフの場合にはメイン電源は切断して、スタンバイ電源のみを供給してスタンバイモードにする。
【００７２】
さらに、スタンバイモードからの起動について番組予約を例にして説明する。ユーザーが番組予約の操作をすると、メインＣＰＵ１１２からサブＣＰＵ１１８経由で予約開始時刻がタイマー１１９にセットされ、タイマー１１９は時間計測を開始する。時間計測はユーザーの電源ボタンによる電源オフ操作によって、スタンバイモードになっても継続して実行し、予約開始時刻になったらサブＣＰＵ１１８に通知する。
【００７３】
通知を受けてサブＣＰＵ１１８が電源回路１２０からメイン電源を供給することにより、メインＣＰＵ１１２がメモリ１１３の不揮発メモリ領域に記憶している番組予約情報に従って第２チューナ経路１２２を用いて予約番組を受信する。また、タイマー１１９によって終了時刻の計測を開始し、終了時刻になったら電源回路１２０のメイン電源を切断する。
【００７４】
なお、アンテナ１０１に替えてケーブル入力とし、第１チューナ１０３や第２チューナ１０７のデジタル復調にＱＡＭを用いても良い。
【００７５】
これまで述べてきたように、チューナ経路が２つあるので、第１チューナ経路１２１による番組視聴中であっても、第２チューナ経路１２２を利用して、視聴している番組とは異なる有料放送事業体の個別情報（ＥＭＭ）を受信することができる。すなわち、第２ＤＥＭＵＸ回路１０９で該当する個別情報（ＥＭＭ）を分離して、メインＣＰＵ１１２の制御によりＩＣカード１１５に個別情報（ＥＭＭ）を書き込む。
【００７６】
ところが、個別情報の受信を行うのを番組視聴中のみに限定してしまうと、通電制御期間の終了が迫ってもユーザーが視聴のために電源オンしない場合や、視聴時間が極端に短い場合などは個別情報の受信が行えないまま通電制御期間が終了してしまうことがある。
【００７７】
本実施の形態では、上記の問題を解決するために、通電制御期間の一部を選択して個別情報の受信を行う日時を予約する通電制御予約を行うことを特徴としている。
【００７８】
メインＣＰＵ１１２は、ＩＣカード１１５に記憶されている通電制御情報を読み出し、通電制御予約情報をメモリ１１３の不揮発領域に記憶させる。通電制御予約情報とは、表１に示されるような通電制御情報で与えられる通電制御期間と電源保持時間とに基づき、通電制御予約によって個別情報を受信する日時（通電制御予約日時）を、個別情報を受信しようとする有料放送事業体ごとに定めたものである。また、有料放送事業体ごとに通電制御予約日時をタイマー１１９に予約し、タイマー１１９による予約起動によって個別情報を受信する。
【００７９】
タイマー１１９は予約時間がきたらサブＣＰＵ１１８に通知し、サブＣＰＵ１１８はデジタル放送受信機１００がスタンバイモードであるならば電源回路１２０よりメイン電源を投入する。次にサブＣＰＵ１１８はメインＣＰＵ１１２に通電制御予約の開始を通知し、メインＣＰＵ１１２はメモリ１１３の不揮発領域に記憶されている通電制御予約情報に従って第２チューナ経路１２２を電源保持時間だけ受信ＴＳ（トランスポートストリーム）に合わせて、第２ＤＥＭＵＸ回路１０９から分離した個別情報（ＥＭＭ）をＩＣカード１１５に書き込むことにより個別情報の受信を行う。個別情報の受信が終了すると、スタンバイモードから予約起動された場合には、メインＣＰＵ１１２からサブＣＰＵ１１８に通知を行い、サブＣＰＵ１１８は電源回路１２０より供給されるメイン電源を切断する。
【００８０】
通電制御予約日時は通電制御期間の開始からできるだけ遅い方が好ましい。なぜなら、通電制御期間の開始から通電制御予約日時までの時間が長いと、その間にユーザーが番組視聴の為に電源オンしている間に、個別情報の受信が行える可能性が高くなるからである。視聴中に個別情報の受信が完了した通電制御予約は取り消しておくと、通電制御予約日時に重ねて個別情報の受信を行うことがない。
【００８１】
本実施の形態では、上記の問題を解決するために通電制御予約日時のスケジューリングを行うことを特徴としている。すなわち、図２に示されるように各有料放送事業体の通電制御予約が重複しないように、かつ、通電制御期間の終了日時にできるだけ近くなるように通電制御予約日時の設定を行う。図２の▲１▼ないし▲３▼は表１の▲１▼ないし▲３▼にそれぞれ対応している。例えば、表１の▲１▼に示される有料放送事業体１００であれば、その通電制御予約日時は通電制御期間の終了直前である１月２４日の２２：００から２４：００に設定される。
【００８２】
通電制御予約日時の算出および登録について図１ないし図３、および表１を参照しながら説明すると以下の通りである。
【００８３】
メインＣＰＵ１１２は、ＩＣカード１１５に記憶されている通電制御情報を読み出し、通電制御情報で与えられる通電制御期間と電源保持時間とに基づき、個別情報を受信しようとする有料放送事業体ごとに通電制御予約日時を算出する。次に、算出された通電制御予約日時を、通電制御予約情報としてメモリ１１３の不揮発領域に記憶する。また、算出された通電制御予約日時をタイマー１１９に予約する。
【００８４】
通電制御予約日時の算出および登録について、図３を用いてさらに説明すると以下の通りである。
【００８５】
まず一旦、全ての有料放送事業体の通電制御予約を未登録にする（Ｓ３００）。次に表１に示される通電制御情報を参照して、そこに登録されている有料放送事業体を通電制御期間の終了が遅い順にソートする（Ｓ３０１）。終了日時が同一のものは通電制御情報が記憶されている順に扱うものとすれば、表１に示される通電制御情報では▲１▼、▲３▼、▲２▼の順になる。
【００８６】
Ｓ３０１にてソートされた順にまず▲１▼を選択して（Ｓ３０２）、暫定通電制御予約日時ｄ’を算出する（Ｓ３０３）。ここで、ｄ’の開始日時は通電制御期間の終了日時から電源保持時間だけ前の時刻で、ｄ’の終了日時は通電制御期間の終了日時で与えられる。▲１▼の場合、ｄ’は１月２４日の２２：００から１月２４日の２４：００までとなる。
【００８７】
次にｄ’の開始日時が現在の時刻と比較して既に過ぎていないかを調べ、もし、過ぎていたら個別情報の受信は行えないのでスキップする（Ｓ３０４）。過ぎていなければｄ’が登録済みの通電制御予約日時と重複していないかを引き続き調べる（Ｓ３０５）。この時点では登録されているものがないので重複しておらず、▲１▼の通電制御予約日時としてｄ’を正式登録する（Ｓ３０６）。
【００８８】
そして、通電制御情報にある全ての有料放送事業体について予約処理が完了したかどうかを調べ（Ｓ３０７）、完了していれば終了する。全て完了していなければＳ３０２に戻って、Ｓ３０１にてソートされた順に次の▲３▼を選択する。
【００８９】
同様に▲３▼についてｄ’を算出すると１月２４日の２３：００から１月２４日の２４：００となり（Ｓ３０３）、この場合は登録済みの▲１▼の予約時間（１月２４日の２２：００から１月２４日の２４：００まで）と重複してしまう（Ｓ３０５）。そこで重複している中で、通電制御予約開始日時が一番早いものより前にｄ’をシフトさせてｄ”を算出する（Ｓ３０８）。▲３▼のｄ”は▲１▼の予約開始日時（１月２４日の２２：００）より前にシフトさせることにより、１月２４日の２１：００から１月２４日の２２：００となる（Ｓ３０８）。
【００９０】
そしてｄ”が現在の時刻と比較して過ぎていないかを調べ（Ｓ３０９）、過ぎていなければ▲３▼の通電制御予約日時としてｄ”（１月２４日の２１：００から１月２４日の２２：００）を正式登録する（Ｓ３１０）。
【００９１】
同様に残りの▲２▼についても、ｄ’を算出すると１月１４日の２２：００から１月１４日の２４：００になり、▲１▼および▲３▼の予約日時と重なっていないのでそのまま登録する。これで全ての通電制御予約の処理が完了したので処理を終了して、タイマー１１９による予約動作が開始することになる。
【００９２】
通電制御予約日時のスケジューリングは、番組予約が既にセットされているために空いたチューナが無い時間帯を避けるようにしても良い。図４では番組予約として第２チューナ経路１２２を使用するイベントが１月２４日の２０：００から１月２４日の２２：００まで予約されており、その時間帯を避けてスケジューリングされている。すなわち、▲３▼の予約日時が１月２４日の１９：００から１月２４日の２０：００までにシフトしてスケジューリングされている。
【００９３】
また、通電制御予約日時のスケジューリングは、図５に示されるように通電制御予約による個別情報の受信を少なくとも一度はやり直せるようにしても良い。このようにすると、通電制御予約を実行中にユーザーからの２画面表示指示など第２チューナ経路１２２を使用するイベントが発生して個別情報の受信に失敗しても、通電制御予約を再登録してやり直すことが可能である。
【００９４】
また、通電制御予約日時のスケジューリングは、番組の視聴に用いる１つのチューナを除いた残りのチューナを用いて行っても良い。
【００９５】
なお、通電制御予約の実行中は個別情報の受信が完了するまで第２チューナ経路１２２を占有させて、ユーザーからの２画面表示指示は警告メッセージを発して受け付けないようにしても良い。さらに、ユーザーが新たな番組予約を追加することによって、通電制御予約による個別情報の受信が行えなくなってしまう場合にも、やはり警告メッセージを発して受け付けないようにしても良い。このようにすると、より確実に個別情報の受信が行えることになる。
【００９６】
また、通電制御予約日時のスケジューリングの考え方として、深夜時間帯のようにユーザーの就寝中や番組の放送を休止していることが多い時間帯のみに通電制御予約日時を設定するようにしても良い。このようにすると、２画面表示指示や番組予約など第２チューナ経路１２２を使用するイベントが発生することが少なくなるので、ユーザーに不都合を与えることなく、より確実に個別情報の受信が行えることになる。
【００９７】
以上の方法に従えば、通電制御予約日時が到来するまでは、ユーザーが番組の視聴を終了するために電源オフ操作を行っても、個別情報の受信に必要な電源を保持して通電制御期間内にあるものを無条件に通電制御処理を実行してしまうことがない。従って、番組を視聴している電源オン中に個別情報の受信を行える機会が増える。通電制御予約日時が到来すると、電源オン中に個別情報の受信を行えなかった場合にのみ、個別情報の受信に必要な電源を保持して個別情報の受信を行う。そのため、番組を視聴していない電源オフ中にもかかわらず、通電制御の為に電源を保持する機会が減るので、個別情報の受信に要する消費電力を削減することができる。
【００９８】
また、個別情報を受信する場合において、通電制御予約を用いて、番組を視聴している電源オン中に個別情報の受信が行えなかった場合にのみ通電制御によって個別情報の受信を行うか、または、通電制御予約を用いずに、電源オフ操作指示後も引き続き電源を保持する従来の通電制御によって個別情報の受信を行うか、をユーザーが選択できるようにしてもよい。
【００９９】
それにより、番組を視聴している電源オン中にできるだけ個別情報の受信を完了させて、なおも個別情報の受信が行えなかった場合にのみ通電制御によって個別情報の受信を行うか、または、電源オフ操作指示後、直ちに個別情報の受信を行わせてしまいたいか、というユーザーの嗜好に応じて通電制御の方法を選択することができる。
【０１００】
〔第２の実施の形態〕
本発明のデジタル放送受信機における別の実施の一形態について図１、図６、表１および表３に基づいて説明すれば、以下の通りである。
【０１０１】
本実施の形態では、複数のチューナを備えるデジタル放送受信機１００において、番組の視聴を終了するための電源オフ指示に応答して、引き続き必要な電源を保持して行われる通電制御による個別情報の受信を実行する場合に、変形通電制御期間を用いることを特徴としている。
【０１０２】
変形通電制御期間は、有料放送事業体より与えられた通電制御情報に指定されている通電制御期間の少なくとも開始日時を遅らせて、与えられた通電制御期間を短縮したものである。
【０１０３】
ユーザーが番組の視聴を終了し、電源オフ操作指示後も電源を保持して個別情報の受信を行う場合に、複数のチューナがあれば複数の有料放送事業体について同時に実行することができる。すなわち、同時に実行することにより、有料放送事業体の数が同じであればチューナが１つの場合と比較して、個別情報の受信を行っている時間をチューナの数に応じて短くすることができる。
【０１０４】
変形通電制御期間の算出および登録について図１を参照しながら説明すると以下の通りである。
【０１０５】
メインＣＰＵ１１２は、ＩＣカード１１５に記憶されている通電制御情報を読み出し、通電制御情報で与えられる変形前の通電制御期間と電源保持時間に基づき、個別情報を受信しようとする有料放送事業体ごとに変形通電制御期間を算出する。次に、算出された変形通電制御期間と、変形前の通電制御期間とを、メモリ１１３の不揮発領域に記憶する。本実施の形態におけるデジタル放送受信機は、メモリ１１３の不揮発領域に記憶されている変形通電制御期間と、変形前の通電制御期間とを参照する。
【０１０６】
表１に示される通電制御情報で指定される通電制御期間を例にとると、チューナの数が２つの場合、通電制御期間を半分に短縮するとすれば表３のように短縮された変形通電制御期間が決定される。
【０１０７】
【表３】
2005033304.tif 000005
【０１０８】
本実施の形態における個別情報受信処理の状態遷移について、図６を用いてさらに説明すれば以下の通りである。
【０１０９】
ユーザーが第１チューナ経路１２１のみを用いて番組を視聴している時には、表１に示される変形前の通電制御期間にある有料放送事業体が存在すれば、空いている第２チューナ経路１２２を用いて個別情報を受信する（Ｓ６００）。
【０１１０】
ユーザーから番組視聴を終了するために電源オフ指示があると、表３の変形通電制御期間を参照してその期間内にある有料放送事業体が存在すれば個別情報を受信するために通電制御を実行する（Ｓ６０１）。変形通電制御期間内にある有料放送事業体が存在しなければ、そのままスタンバイモード（Ｓ６０２）にする。このとき、変形通電制御期間内にある有料放送事業体が複数存在すれば、第１チューナ経路１２１と第２チューナ経路１２２を用いて同時に通電制御による個別情報の受信を行い、全て完了すればスタンバイモード（Ｓ６０２）にする。
【０１１１】
なお、通電制御による個別情報の受信中（Ｓ６０１）やスタンバイモード（Ｓ６０２）で番組を視聴するために電源オン指示があった場合、必要に応じてメイン電源を投入し、第１チューナ経路１２１は視聴状態（Ｓ６００）に戻し、第２チューナ経路１２２で個別情報の受信を行う（Ｓ６００）。
【０１１２】
これにより、▲１▼および▲３▼は１月１０日から１月１７日まで、▲２▼は１月１日から１月１７日までは番組視聴中のみに限定して個別情報の受信を行うようになる。そして、これらの期間内に番組視聴中の個別情報の受信が行えず、期間内に終わらない恐れが出てきた場合のみ、変形通電制御期間を用いた電源オフ時の通電制御によって個別情報の受信を行う。
【０１１３】
なお、番組視聴中の個別情報の受信に関しては、定期的に現在の時刻と通電制御期間を比較し、通電制御期間内にある有料放送事業体が存在して、空いているチューナのある場合には、それを使用して直ちに個別情報の受信を行う。
【０１１４】
このようにすると、視聴中にできるだけ多くの有料放送事業体について個別情報の受信が行われるので、電源オフ後に個別情報を受信するために行われる通電制御の機会を減らすことができる。また同様に、通電制御予約によって、個別情報を受信するためにスタンバイモードからの予約起動を行う機会を減らすことができる。
【０１１５】
以上の方法に従えば、複数のチューナを用いることによって視聴中に個別情報を受信できる機会が増える。従って、番組を視聴していない電源オフ中にもかかわらず、通電制御の為に電源を保持する機会が減るので、消費電力を削減することができる。
【０１１６】
また、個別情報を受信する場合において、変形通電制御期間を用いて、番組を視聴している電源オン中に個別情報の受信が行える機会をさらに増やし、電源オン中に個別情報の受信が行えなかった場合にのみ、変形通電制御期間内に通電制御によって個別情報の受信を行うか、または、変形しない通電制御期間に基づいて、電源オフ操作指示後も引き続き電源を保持する従来の通電制御によって個別情報の受信を行うか、をユーザーが選択できるようにしてもよい。
【０１１７】
それにより、番組を視聴している電源オン中にできるだけ個別情報の受信を完了させて、なおも個別情報の受信が行えなかった場合にのみ変形通電制御期間に基づく通電制御によって、通電制御期間のできるだけ後の方に行いたいか、または、電源オフ操作指示後、直ちに個別情報の受信を行わせてしまいたいか、というユーザーの嗜好に応じて通電制御の方法を選択することができる。
【０１１８】
【発明の効果】
本発明のデジタル放送受信機は、以上のように、通電制御による個別情報の受信を、任意の有料放送事業体が当該受信機宛の個別情報を送信している通電制御期間の一部を選択して行うことを特徴とする構成である。
【０１１９】
それゆえ、番組を視聴していない電源オフ中にもかかわらず、通電制御の為に電源を保持する機会が通電制御期間の一部に限られるので、消費電力の削減が可能であるという効果を奏する。
【０１２０】
本発明のデジタル放送受信機は、以上のように、通電制御によって個別情報の受信を開始する日時が、任意の有料放送事業体が当該受信機宛の個別情報を送信している通電制御期間の開始日時より、少なくとも個別情報の受信に要する電源保持時間だけ後ろの日時であることを特徴とする構成である。
【０１２１】
それゆえ、番組を視聴している間（電源オン中）に個別情報の受信が完了した場合には、番組を視聴していない電源オフ中にもかかわらず通電制御の為に電源を保持する機会が減るので、消費電力の削減が可能であるという効果を奏する。
【０１２２】
本発明のデジタル放送受信機は、以上のように、前記通電制御期間と前記電源保持時間とに基づいて、個別情報を受信する日時を算出してタイマー予約する通電制御予約を行い、視聴中に該有料放送事業体の個別情報の受信が完了した場合を除いては、通電制御予約によって個別情報の受信を行うことを特徴とする構成である。
【０１２３】
それゆえ、電源オフ中に行う通電制御を予約した日時だけに行わせることができ、通電制御の為に電源を保持する機会が減るので、消費電力の削減が可能であるという効果を奏する。
【０１２４】
本発明のデジタル放送受信機は、以上のように、前記通電制御予約では、チューナを使用するイベントの予約によってチューナが使用できなくなる時間帯を除いて、個別情報の受信予約をスケジューリングすることを特徴とする構成である。
【０１２５】
それゆえ、個別情報の受信予約をチューナが使用できなくなる時間帯を除いてスケジューリングするので、通電制御予約によってより確実に個別情報の受信ができるという効果を奏する。
【０１２６】
本発明のデジタル放送受信機は、以上のように、前記通電制御予約では、前記通電制御期間内に少なくとも一度は個別情報の受信予約を再設定できるだけの時間を後ろに確保してスケジューリングし、個別情報の受信に失敗したら受信予約を再設定することを特徴とする構成である。
【０１２７】
それゆえ、個別情報の受信予約に失敗しても再度行えるようにスケジューリングするので、通電制御予約によってより確実に個別情報の受信ができるという効果を奏する。
【０１２８】
本発明のデジタル放送受信機は、以上のように、前記通電制御予約による個別情報の受信を開始すると、受信が完了するまで使用中のチューナを占有することを特徴とする構成である。
【０１２９】
それゆえ、個別情報に失敗した為に再度通電制御による個別情報の受信を行う必要が無くなるので、消費電力の削減が可能であるという効果を奏する。
【０１３０】
本発明のデジタル放送受信機は、以上のように、前記通電制御予約による受信予約の再設定ができない最終の個別情報の受信を開始すると、受信が完了するまで使用中のチューナを占有することを特徴とする構成である。
【０１３１】
それゆえ、他にチューナを使用するイベントが発生しても中断せずに個別情報の受信を完了させるので、通電制御予約によってより確実に個別情報の受信ができるという効果を奏する。
【０１３２】
本発明のデジタル放送受信機は、以上のように、複数のチューナを有し、前記通電制御予約による個別情報の受信には視聴に供する１つのチューナを除いた残りのチューナを用いることを特徴とする構成である。
【０１３３】
それゆえ、通電制御予約による個別情報の受信中に、別の番組視聴を行う為に個別情報の受信を中断する必要がないので、通電制御予約によってより確実に個別情報の受信ができるという効果を奏する。
【０１３４】
本発明のデジタル放送受信機は、以上のように、通電制御によって個別情報を受信する場合に、前記通電制御予約を用いるか、用いないか、を選択可能なことを特徴とする構成である。
【０１３５】
それゆえ、通電制御による個別情報の受信を、通電制御予約を用いて通電制御期間の後ろの方に行うか、電源オフになると直ちに行うかを選択できるので、ユーザーの嗜好に応じて通電制御の方法を選択することができるという効果を奏する。
【０１３６】
本発明のデジタル放送受信機は、以上のように、視聴を終了するための電源オフ指示に応答して、前期電源保持時間だけ電源を保持する通電制御による個別情報の受信を、前期通電制御期間の代わりに少なくとも開始日時を遅らせて短縮した変形通電制御期間内に行うことを特徴とする構成である。
【０１３７】
それゆえ、番組を視聴している間（電源オン中）に個別情報の受信を行う機会が更に増えると、番組を視聴していない電源オフ中にもかかわらず通電制御の為に電源を保持する機会が減るので、消費電力の削減が可能であるという効果を奏する。
【０１３８】
本発明のデジタル放送受信機は、以上のように、前記変形通電制御期間は、チューナの数に反比例して前記通電制御期間を短縮して算出されることを特徴とする構成である。
【０１３９】
それゆえ、チューナの数だけ同時に、番組を視聴している間（電源オン中）に同時に個別情報を受信できる機会が増え、番組を視聴していない電源オフ中にもかかわらず通電制御の為に電源を保持する機会が減るので、消費電力の削減が可能であるという効果を奏する。
【０１４０】
本発明のデジタル放送受信機は、以上のように、複数のチューナを有し、前記変形通電制御期間と前記電源保持時間とに基づく通電制御によって、複数のチューナを用いて同時に異なる有料放送事業体の個別情報の受信を行うことを特徴とする構成である。
【０１４１】
それゆえ、通電制御による個別情報の受信が複数の有料放送事業体について同時に並行して行われ、通電制御の為に電源を保持する時間が短縮できるので、消費電力の削減が可能であるという効果を奏する。
【０１４２】
本発明のデジタル放送受信機は、以上のように、視聴を終了するための電源オフ指示に応答して、前期電源保持時間だけ電源を保持する通電制御による個別情報の受信を行う場合に、前記変形通電制御期間と前記電源保持時間とに基づく通電制御を行うか、または、前記変形しない通電制御期間と前記電源保持時間とに基づく通電制御を行うか、を選択可能なことを特徴とする構成である。
【０１４３】
それゆえ、視聴を終了した後も電源を保持して行う通電制御による個別情報の受信を、変形通電制御期間を用いて通電制御期間の後ろの方に行うか、有料放送事業体より与えられた、変形しない通電制御期間内において電源オフになると直ちに行うかを選択できるので、ユーザーの嗜好に応じて通電制御の方法を選択することができるという効果を奏する。
【０１４４】
本発明のデジタル放送受信機は、以上のように、複数のチューナを有し、視聴中は現在日時と前記通電制御期間との比較を定期的に行い、前期通電制御期間内で個別情報の受信が完了していない有料放送事業体が存在し、チューナが確保できる場合に、該有料放送事業体の個別情報の受信を行うことを特徴とする構成である。
【０１４５】
それゆえ、番組を視聴している間（電源オン中）に個別情報を受信できる機会が増え、番組を視聴していない電源オフ中にもかかわらず通電制御の為に電源を保持する時間が短縮できるので、消費電力の削減が可能であるという効果を奏する。
【図面の簡単な説明】
【図１】本発明のデジタル放送受信機のブロック構成図である。
【図２】本発明の、第１の実施の形態における通電制御予約のスケジューリング例を示した図である。
【図３】本発明の、第１の実施の形態における通電制御予約日時を算出するフロー図である。
【図４】本発明の、第１の実施の形態における通電制御予約のスケジューリング例を示した図である。
【図５】本発明の、第１の実施の形態における通電制御予約のスケジューリング例を示した図である。
【図６】本発明の、第２の実施の形態における、個別情報を受信する処理の状態遷移図である。
【符号の説明】
１００  デジタル放送受信機
１０３  第１チューナ（チューナ）
１０４  第１デスクランブラー
１０５  第１ＤＥＭＵＸ回路
１０６  第１ＭＰＥＧ＿ＡＶデコーダ
１０７  第２チューナ（チューナ）
１０８  第２デスクランブラー
１０９  第２ＤＥＭＵＸ回路
１１０  第２ＭＰＥＧ＿ＡＶデコーダ
１１２  メインＣＰＵ
１１３  メモリ
１１５  ＩＣカード
１１６  デジタル放送受信回路
１１８  サブＣＰＵ
１１９  タイマー
１２０  電源回路
１２１  第１チューナ経路
１２２  第２チューナ経路
【図１】
2005033304.tif 000006
【図２】
2005033304.tif 000007
【図３】
2005033304.tif 000008
【図４】
2005033304.tif 000009
【図５】
2005033304.tif 000010
【図６】
2005033304.tif 000011